(57)【要約】【課題】本発明は、複数枚のフィルムをラミネートした包装シートで形成される三角錐体包装体で、開封時に取り除いた上部三角錐体の不要部分を、そのまま他の調味料や他の内容物を収容できる器として使用できるものを提供することを課題としている。【解決手段】シート状のラミネートフィルム５を折り曲げ、ラミネートフィルム５が突き当たる各端部、３ヶ所を熱溶着で封止した袋状態から作成される三角錐包装体１において、多層に貼り合わせた前記シート状のラミネートフィルム５で形成した三角錐包装体１の一つである三角面を底にした際、適宜高さで水平に切り裂き、上部の三角錐形状を形成できるように切り裂くことができる最外側の層は、カットしない層とし、その他の内側の層は、レーザーによってハーフカットした三角錐包装体【選択図】図２
2019077489.tif 000002
【特許請求の範囲】
【請求項１】
シート状のラミネートフィルムを折り曲げ、ラミネートフィルムが突き当たる各端部、３ヶ所を熱溶着で封止した袋に内容物を充填する三角錐包装体において、多層に貼り合わせた前記シート状のラミネートフィルムで形成した三角錐包装体の一つの面である三角面を底にした際、適宜高さで水平に切り裂き、上部の三角錐形状を形成できるように切り裂くことができる最外側の層は、カットしない層とし、その他の内側の層は、レーザーによってハーフカットしたことを特徴とする三角錐包装体
【請求項２】
シート状のラミネートフィルムを折り曲げ、ラミネートフィルムが突き当たる各端部、３ヶ所を熱溶着で封止した袋に内容物を充填する三角錐包装体において、多層に貼り合わせた、前記シート状のラミネートフィルムで形成した三角錐包装体の一つの面である三角面を底部にした際、適宜高さで水平に切り裂き、一面だけは裂けないようにハーフカットをしない部分を残し、他の二面は最外側の層はカットしない層とし、その他の内側の層は、レーザーによって、ハーフカットしたことを特徴とする三角錐包装体
【請求項３】
折り曲げ、ラミネートフィルムが突き当たる各端部、３ヶ所の熱溶着した封止部のうち、少なくとも１ヶ所だけは熱溶着の封止形状が、開封する際に、つまみ易いように端部を突き合せて封止することを特徴とする請求項１、または請求項２に記載の三角錐包装体
【発明の詳細な説明】
【技術分野】
【０００１】
本発明は、容易に開封することができ、しかも開封された後は、不要になった部分を取り除くと同形状（三角錐体）の容器が形成され、内容物は、その残された本体（三角錐体の上部を切り落とした形状）が本来の容器として残り、容易に内容物を取り扱うことができる包装体に関するものである。
すなわち、三角錐包装体の上部が切り離され、三角錐体形状の容器ができ、この三角錐形状の容器が一種の皿としての機能を有し、他の内容物を入れたり、ゴミ入れとしての役目を兼ね備えることになる三角錐包装体｛いわゆるテトラ状包装体（商標登録：テトラパック）｝に関するものである。
【０００２】
本発明は、例えば、菓子（あられ、スナック菓子、ピーナツ、キャンディ、チョコレート、クッキー、ビスケット、甘納豆）、ドライフルーツ、珍味、加工食品、砂糖、塩、ソーセージ、お漬物、野菜等農産物、その他が充填される三角錐包装体であって、ラミネートされた複数枚のプラスチックフィルム構成の包装シートで形成されたものに関するものである。
【背景技術】
【０００３】
従来、内側フィルム、中間部フィルム、外側フィルムよりなる包装シートで構成された袋体、前記袋体は上面に開口部、前記上面開口部に対向する下面に下面折り曲げ部を設け、前記袋体は前記内側フィルム、前記中間部フィルム及び前記外側フィルムを熱融着、切断して形成された左側面溶断部、前記左側面溶断部に対向する前記内側フィルム、前記中間部フィルム及び前記外側フィルムを熱融着、切断して形成された右側面溶断部とを備え、前記上面開口部から前記袋体の内部に被包装物を収納し、前記下面折り曲げ部に対向し、前記下面折り曲げ部と直交し、前記袋体の上面開口部を封止する上面シームを形成し、前記袋体が四面立体状に形成されたものにおいて、前記左側面溶断部に前記内側フィルム同士が対面する左端部に左側微少接着部を形成して、前記右側面溶断部に前記内側フィルム同士が対面する右端部に右側微少接着部を形成して、前記左側面溶断部の前記左側微少接着部及び前記右側面溶断部の前記右側微少接着部を人為的に引き裂き可能にして、前記袋体を左右に開封できるようにした四面立体包装体(例えば、特許文献１を参照)が存在している。
【先行技術文献】
【特許文献】
【０００４】
【特許文献１】特開２０１３−１４４５７１号公報(特許請求の範囲の欄、発明の詳細な説明の欄、及び図１〜図８を参照)
【発明の概要】
【発明が解決しようとする課題】
【０００５】
前記従来技術は、四面立体包装体で、引き裂く位置が第６図に示されているように、上面シームｓｍ（辺Ｅ−Ｆ）の中心から、下部折り曲げ部１２の両端に向けて、左側面溶断部ｆｃ１と右側面溶断部ｆｃ２が形成され、この両溶断部で引き裂くことによって図８に示すように四面立方体自体が、開封後は食器として機能するものである。
これに対して本願発明は、２枚以上複数枚のフィルムをラミネートした包装シートで形成される三角錐包装体で、開封時に取り除いた上部三角錐体の不要部分を、そのまま他の調味料や他の内容物を収容できる器として使用できるものである。
従来技術は、フィルムの切り裂きに方向性を持たせることができたが、縦横方向の直線にしか切り裂くことができないため、三角錐体の上部を水平に切り裂く切り裂き部を形成することはできなかった。
これを本願発明は三角錐体のため、切り裂き部の形成にレーザーによってハーフカット（このハーフカットとは、多層に貼り合わせたフィルムの一部の層だけをカット、例えば最表層のフィルムだけカットしないで、他の内層は全てカットして、最表層はカットしない層として残すことである。）にすることにより、通常、三角錐体では垂直な側面部分が、シートを折り曲げて三角錐体を形成するので、フィルムに縦、横方向の切り裂き方向性があっても、思った方向に切り裂くことができなかったものを解決し、三角錐体の上部を水平（ラミネートフィルムとしては、斜めに切り裂くことになる。）に切り裂くことができるものである。
また、従来技術の四面立方包装体における側面溶断部は、フィルムの引き裂き方向に合わせた垂直方向の溶断部であるのに対して、本願発明は、三角錐体の水平方向にハーフカット部を形成したので、フィルムの方向性に関係なく切り裂くことができ、容器が内側に傾斜（図２ａ参照）するため、中身の商品がこぼれ難く、また内容物が液体であっても、こぼれ難くなるものである。
以上、本願発明は、包装体の形態を三角錐包装体にしたことによる問題点を解決した、三角錐包装体を提供すること目的とするものである。
【課題を解決するための手段】
【０００６】
上記目的を達成することができる本発明の第１発明は、請求項１に記載された三角錐包装体であり、次のようなものである。
シート状のラミネートフィルムを折り曲げ、ラミネートフィルムが突き当たる各端部、３ヶ所を熱溶着で封止した袋に内容物を充填する三角錐包装体において、多層に貼り合わせた前記シート状のラミネートフィルムで形成した三角錐包装体の一つの面である三角面を底にした際、適宜高さで水平に切り裂き、上部の三角錐形状を形成できるように切り裂くことができる最外側の層は、カットしない層とし、その他の内側の層は、レーザーによってハーフカットした構成である。
【０００７】
上記目的を達成することができる本発明の第２発明は、請求項２に記載された三角錐包装体であり、次のようなものである。
シート状のラミネートフィルムを折り曲げ、ラミネートフィルムが突き当たる各端部、３ヶ所を熱溶着で封止した袋に内容物を充填する三角錐包装体において、多層に貼り合わせた、前記シート状のラミネートフィルムで形成した三角錐包装体の一つの面である三角面を底部にした際、適宜高さで水平に切り裂き、一面だけは裂けないようにハーフカットをしない部分を残し、他の二面は最外側の層はカットしない層とし、その他の内側の層は、レーザーによって、ハーフカットした構成である。
【０００８】
上記目的を達成することができる本発明の第３発明は、請求項３に記載された三角錐包装体であり、次のようなものである。
請求項１、または請求項２に記載の三角錐包装体において、折り曲げ、ラミネートフィルムが突き当たる各端部、３ヶ所の熱溶着した封止部のうち、少なくとも１ヶ所だけは熱溶着の封止形状が、開封する際に、つまみ易いように端部を突き合せて封止する構成である。
【発明の効果】
【０００９】
本発明に係る三角錐包装体は、上記説明のような構成を有するので、以下に記載する効果を奏する。
（１）三角錐包装体の上部を切り裂き、開封した際に、切り離した三角錐形状の小さい器を得ることができる。
（２）レーザーによってハーフカットするので、ミシン目などの開封手段と違って、内容物に液体、粉体があっても漏れることはないものである。
（３）通常フィルムを折り曲げて三角錐形状にするので、開封のためのフィルムの方向性は、一部はカットできても、カットできない部分が生じるが、本願発明は必要な部分を、予めレーザーでハーフカットできるので、極めて開封がスムーズにできるものである。
（４）請求項２の発明においては、三角錐包装体の上部の一面はハーフカットを施さずに切り離さないように構成することで、開封した際に、本体に接続した状態のまま、小さい器を形成することになり、例えば、三角錐包装体の内容物が枝豆の場合、食べ終えた枝豆の皮部を収容できるようにしたものである。またその他内容物によっては、タレ、塩などの調味料の収容に利用することもできるものである。
（５）端部の突き合せシールの仕方によって開封する際、つまんで切り裂くのに容易なつまみ部として機能を奏することができる。
【図面の簡単な説明】
【００１０】
【図１】本発明に係る三角錐包装体の全体構成を概略的に示す斜視図である。
【図２】本発明の第一実施例である三角錐包装体の上部を切り離した状態を示すもので、（ａ）は三角錐包装体の本体を示す概略斜視図、（ｂ）は三角錐包装体の上部を切り離した際にできる小さい三角錐容器を示す概略斜視図である。
【図３】本発明の第二実施例である三角錐包装体の上部の三角錐容器を一部三角錐包装体本体に接続状態にした概略斜視図である。
【図４】本発明の第一実施例における三角錐包装体を作製するためのラミネートフィルムで、実線で示した部分が、内層のフィルムをハーフカットする形状を示し、点線で示した部分は、最外側の表層面に、例えば三角錐包装体を折り曲げて形成する上で、案内となる印刷や図柄、広告等の印刷を施したものを示す裏面から見た概略平面図である。
【発明を実施するための形態】
【００１１】
シート状のラミネートフィルムを折り曲げ、ラミネートフィルムが突き当たる各端部、３ヶ所を熱溶着で封止した袋に内容物を充填する三角錐包装体において、多層に貼り合わせた前記シート状のラミネートフィルムで形成した三角錐包装体の一つの面である三角面を底にした際、適宜高さで水平に切り裂き、上部の三角錐形状を形成できるように切り裂くことができる最外側の層は、カットしない層とし、その他の内側の層は、レーザーによってハーフカットした三角錐包装体である。
【実施例１】
【００１２】
本発明の第一実施例を図１、図２、図４に基づいて詳細に説明する。
先ず、図４に基づいて多層で構成されたラミネートフィルムについて説明する。
本発明で使用するラミネートフィルム５は、材料としては、各種採用することができるが、例えば内側は未延伸ポリプロピレン（ＣＰＰ）フィルム、中間部はアルミニウムを蒸着したポリエチレンテレフタレート（ＰＥＴ）フィルム（アルミニウムは蒸着しないものでも良い）、外側は印刷のし易い２軸延伸ポリプロピレン（ＯＰＰ）フィルムを採用することができる。
なお、この材料の種類、積層枚数等は収容物に対して適性のあるものを選択することはいうまでもない。
ロール状に巻き取られたラミネートフィルム５を引き出した状態が図４に示されている。この図４は、２つの三角錐包装体を作成する場合について切り取ったもので、３個目の材料は略半分の所でカットして示すものである。
この図４は内側になる方から示した図面で、実線で示す部分がハーフカット部である。また点線で示したものは、ラミネートフィルム５の最外側の表層部に三角錐体を形成する上で案内となる図柄等が表示印刷されたものであるが、当然印刷を施さなくても、製袋充填装置で折り曲げ、シールして三角錐包装体を製作することはできるものである。
【００１３】
ここで、ハーフカットについて詳細に説明すると、多層に貼り合わせたラミネートフィルム５の一部の層だけ任意に設定したライン上をカットし、カットしない層を残すことができるカット方法である。
この実施例では、レーザーによって最外層を除く、内層だけをカットし、三角錐包装体の上部である小さい三角錐体の一部分だけを切り離し易くしたものである。
以上の説明の通り、任意に設定した（本実施例では図４に示す実線で表現した略台形形状にハーフカットする）ライン上をハーフカットすることで、ラミネートフィルム５を折り曲げ、三角錐包装体１に形成した際、図２に示す通り、開封した際に三角錐包装体１の上部の小さい三角錐容器３が得られるものである。
【００１４】
次に、図３に基づいて本発明の第二実施例を説明する。
図３に示すように、第二実施例と第一実施例との違いは、第一実施例では完全に切り離した小さい三角錐容器３を、切り離さないようにしたもので、３面の内、１面はハーフカットを施さないことにより、図３のように折り曲げることにより、小さい三角錐容器３を本体に接続した状態で使用することができるものである。これは本体と切り離されず、さらに本体部の斜面と小さい三角錐容器３の斜面とが接地して安定するので、小さい三角錐容器３を収容物を収容する容器として使用するのにとても便利である。
この際、切り離さない面の接続している部分の対向する所に形成されるシール部を突き合せシールとすることで、開封の際、つまみ部となるので、極めて開封し易くなるものである。
その他は、第一実施例と同一なので説明は省略する。
【産業上の利用可能性】
【００１５】
三角錐包装体の内容物は、食品に限らず、雑貨や玩具を収納することにも利用することができる。また、玩具そのものとして遊べるようにすることも可能である。
【符号の説明】
【００１６】
１・・・・三角錐包装地
２・・・・三角錐包装体本体
３・・・・切り離した小さい三角錐容器
４・・・・突き合せシール部
５・・・・ラミネートフィルム
６・・・・小さい三角錐容器を接続した状態の三角錐包装体
７・・・・ハーフカット部
【図１】
2019077489.tif 000003
【図２】
2019077489.tif 000004
【図３】
2019077489.tif 000005
【図４】
2019077489.tif 000006